(57)【要約】【課題】ベランダ等の狭い設置スペースでも長芋等の栽培が可能で、給水の頻度が低下し、小さい種芋も水抜き孔から外部に出にくい育成容器を提供する。【解決手段】縦長な容器本体１１を有する長芋育成容器１０であるため、例えばベランダ、駐車場の隅などの設置スペースに制約がある場所でも長芋を栽培することができる。しかも、容器本体１１の底部には、容器内側に突出した水抜き孔部１１ｂの周壁により水溜め部ｃが画成される。その結果、給水の頻度を低減させることができるとともに、小さい種芋が水抜き孔から外部に出にくくなる。【選択図】　　　　図１
2004081146.tif 000002
【特許請求の範囲】
【請求項１】
上面に開口部が形成された縦長な容器本体と、
該容器本体の底部に、容器本体の内側に向かって周壁が突出し、該周壁に水抜き孔が形成された水抜き孔部とを備えた長芋等の育成容器。
【請求項２】
前記水抜き孔部は容器本体の内側から土漏れ防止カバーにより被われ、該土漏れ防止カバーには容器本体の内部と水抜き孔とを連通する切欠部が形成された請求項１に記載の長芋等の育成容器。
【請求項３】
前記開口部には、別の容器を段積み可能な容器載置部材が設けられた請求項１または請求項２に記載の長芋等の育成容器。
【請求項４】
前記開口部には外方に突出する把手部が形成され、
該把手部には、長芋等のツルを巻きつけるツル巻き棒用の棒立て孔が形成された請求項１〜請求項３のうち、何れか１項に記載の長芋等の育成容器。
【請求項５】
前記把手部には、前記容器本体の内部と連通し、給水用およびまたは土や肥料等を補給する補給口が形成された請求項４に記載の長芋等の育成容器。
【発明の詳細な説明】
【０００１】
【発明の属する技術分野】
この発明は長芋等（長芋、山芋、自然薯その他の長尺型根菜類）の育成容器に関する。
【０００２】
【従来の技術】
特開平１１−１８５６３号公報には、長芋等の栽培箱として、以下のものが開示されている。すなわち、断熱材からなり、底部の一端に開口部を有する横長な箱体と、水抜き孔が形成されて、箱体を閉鎖する横長な蓋材とを備え、箱体には培土材を投入し、開口部側に種芋を植栽して育土材を投入して蓋材を装着する。このとき、蓋材は粘着テープにより密閉される。組み立てられた箱体は上下を反転し、種芋側を上にして傾斜台を用いて斜めに設置する。この状態で所定期間栽培することにより、育土材内に新芋を成長させる。
【０００３】
【発明が解決しようとする課題】
しかしながら、このような従来の栽培箱にあっては、以下に示す問題点があった。すなわち、箱体が横長であったので、マンションのベランダや台所などでは、スペース的な制約により栽培がしにくかった。
また、水抜き孔が蓋体の壁板に対して、単に貫通しただけで形成されていたので、傾斜設置される箱体の培土材および育土材に供給された水は、短時間で水抜き孔から流出していた。そのため、頻繁に給水する必要があった。しかも、小さな種芋や成長した芋が、水抜き孔を介して、外部に突出するおそれがあった。
さらに、箱体は傾斜台によって傾斜配置されるので、狭いスペースで多量の長芋等を栽培できるように、箱体を段積みすることはできなかった。
そして、従来の箱体には、長芋等のツルが巻きつくツル巻き棒を立てるための構造が施されていなかった。そのため、箱体にツル巻き棒を固定する際には、使用者が孔開け工具を用いて箱体の一部に孔をあけなければならなかった。
また、横長な箱体には、把手が形成されていなかったので、種芋の植え付け時または新芋の収穫時など、培土材や育土材が充填されて重くなった箱体の取り扱いが困難になっていた。
【０００４】
そこで、発明者は、容器本体を縦長とし、この容器本体の底部に容器本体の内側に向かって周壁が突出し、この周壁に水抜き孔が形成された水抜き部を設けることで、例えば台所などの設置スペースに制約がある場所でも長芋等を栽培することができ、しかもこの突出した周壁により、容器本体の底部に水溜め部が画成されるので、給水の頻度を低減させることができ、さらには小さい種芋や成長した芋が水抜き孔から外部に突出しにくくなることを知見し、この発明を完成させた。
【０００５】
【発明の目的】
この発明は、狭い設置スペースでも長芋等を栽培することができ、また給水の頻度を低減させることができるとともに、小さい種芋でも水抜き孔から外部に出にくい育成容器を提供することを、その目的としている。
また、この発明は、育成容器を段積みすることができ、その結果、狭いスペースであっても長芋等の大量栽培が可能な長芋等の育成容器を提供することを、その目的としている。
さらに、この発明は、育成容器の持ち運びが容易で、またツル巻き棒の差し立て作業が容易であり、しかも段積み時でも上段の育成容器に支障なくツル巻き棒を差し立てることができる長芋等の育成容器を提供することを、その目的としている。
そして、この発明は、段積み時でも支障なく外部からの給水、土や肥料等の補給を行うことができる長芋等の育成容器を提供することを、その目的としている。
【０００６】
【課題を解決するための手段】
請求項１に記載の発明は、上面に開口部が形成された縦長な容器本体と、該容器本体の底部に、容器本体の内側に向かって周壁が突出し、該周壁に水抜き孔が形成された水抜き孔部とを備えた長芋等の育成容器である。
容器本体の素材は任意である。例えばポリプロピレン、ポリエチレン、ポリ塩化ビニル、ＡＢＳなどの合成樹脂である。
縦長な容器本体とは、水平方向の最大長さよりも垂直方向の長さ（高さ）が長い育成容器の本体である。
容器本体の形状としては、例えば平面視して円形、楕円形、三角形以上の多角形などを採用することができる。その他、任意の形状でもよい。
水抜き孔部は、容器本体と一体的に形成されてもよい。また、別体で形成されてもよい。
水抜き孔部の形状は任意である。例えば平面視して円形、四角形などでもよい。水抜き孔部の高さは限定されない。例えば５ｃｍ前後である。
水抜き孔の形状および大きさ、形成数は任意である。
また、水抜き孔の形成位置も任意である。例えば、水抜き孔部の上面に形成してもよい。または、水抜き孔部の側面に形成してもよい。
長芋等とは、長芋、山芋、自然薯、長尺根菜類を含むものである。
【０００７】
請求項２に記載の発明は、前記水抜き孔部は容器本体の内側から土漏れ防止カバーにより被われ、該土漏れ防止カバーには容器本体の内部と水抜き孔とを連通する切欠部が形成された請求項１に記載の長芋等の育成容器である。
土漏れ防止カバーの素材は任意である。例えばポリプロピレン、ポリエチレン、ポリ塩化ビニル、ＡＢＳなどの各種の合成樹脂が挙げられる。その他、ステンレスなどの各種の金属、各種のセラミックス、ガラスなどが挙げられる。
土漏れ防止カバーの形状としては、例えば平面視して円形、楕円形、三角形以上の多角形などを採用することができる。その他、任意の形状でもよい。要は、水抜き孔部を外方から所定の隙間をあけて被うことができる大きさ、形状であればよい。さらに、切欠部の形状、形成位置、形成個数なども任意である。
【０００８】
請求項３に記載の発明は、前記開口部には、別の容器を段積み可能な容器載置部材が設けられた請求項１または請求項２に記載の長芋等の育成容器である。
容器載置部材の素材は任意である。例えばポリプロピレン、ポリエチレン、ポリ塩化ビニルなどの合成樹脂、硬質アルミニウム、ステンレスなどの金属である。容器載置部材の大きさ、形状、使用個数などは限定されない。
【０００９】
請求項４に記載の発明は、前記開口部には外方に突出する把手部が形成され、該把手部には、長芋等のツルを巻きつけるツル巻き棒用の棒立て孔が形成された請求項１〜請求項３のうち、何れか１項に記載の長芋等の育成容器である。
把手部は、容器本体と一体形成してもよい。また、別体で形成してもよい。
把手部の形状、大きさは限定されない。また、把手部の形成位置、形成数も限定されない。例えば、開口部の一端部だけに形成することができる。また、開口部の対向する両端部にそれぞれ形成してもよい。
ツル巻き棒の素材は任意である。例えば、各種の合成樹脂、各種の金属、各種の木材などを採用することができる。
棒立て孔の形成数は限定されない。１つまたは２つ以上である。
棒立て孔は、ツル巻き棒の下端を容器本体の側壁に当接させてこのツル巻き棒を斜めに立て掛けられるように、傾斜孔としてもよい。
【００１０】
請求項５に記載の発明は、前記把手部には、前記容器本体の内部と連通し、給水用およびまたは土や肥料等を補給する補給口が形成された請求項４に記載の長芋等の育成容器である。
補給口の形状、大きさは任意である。この補給口は容器内の状況を視認するための覗き窓にもなる。
【００１１】
【作用】
この発明によれば、縦長な容器本体を主体とする長芋等の育成容器であるため、例えば台所、ベランダ、駐車場などの設置スペースに制約がある場所でも長芋等を栽培することができる。しかも、容器本体の底部には、容器本体の内側に突出した水抜き孔部の周壁によって水溜め部が画成される。これにより、給水の頻度を低減させることができるとともに、小さい種芋や成長した芋が水抜き孔から外部に出にくくなる。
【００１２】
特に、請求項３の発明によれば、開口部には、別の容器を段積み可能な容器載置部材が設けられているので、複数の育成容器を垂直に段積みすることができ、これにより狭いスペースであっても長芋等を大量栽培することができる。
【００１３】
請求項４の発明によれば、開口部に把手部が形成されているので、育成容器の持ち運びが容易になる。また、種芋の植え付け後、長芋等が成長してツルが伸びてきた場合には、従来のように使用者が孔開け工具を使用し、箱体の一部に孔をあけなくても、棒立て孔にツル巻き棒を差し立てれば、ツルの巻き付け処理を行うことができる。よって、ツル巻き棒の差し立て作業が容易となる。
請求項３のように育成容器を段積みする場合には、このように棒立て孔が容器本体の側方に突出した把手に形成されているため、上段の育成容器に対して支障なくツル巻き棒を立てられる。
【００１４】
請求項５の発明によれば、把手部に補給口を形成したので、仮に段積み時でも、補給口を通して水、土や肥料等を支障なく補給することができる。また、この補給口は容器本体の内部状況を視認する覗き窓としても利用することができる。
【００１５】
【発明の実施の形態】
以下、図１〜図２を参照し、この発明の一実施例を説明する。
図１〜図２において、１０はこの発明の一実施例に係る長芋育成容器で、この長芋育成容器１０は、上面に開口部ａが形成された縦長な容器本体１１と、容器本体１１の底板１１ａに形成され、容器本体１１の内側に向かって周壁が突出した水抜き孔部１１ｂとを備えている。
容器本体１１は、平面視して矩形状の合成樹脂製の容器で、開口部ａの周縁部は厚肉な枠部が一体形成されている。また、水抜き孔部１１ｂは、底板１１ａの中央部に形成され、内部空間が平面視して矩形状の大きな水抜き孔ｈとなっている。水抜き孔部１１ｂの周壁の高さは５ｃｍである。
水抜き孔部１１ｂは容器本体１１の内側から土漏れ防止カバー１２によって被われている。土漏れ防止カバー１２は、平面視して矩形状の皿を裏返した形状を有し、その各側板には水抜き孔ｈと連通した合計４つの切欠部１２ａ…が形成されている。
また、この開口部ａには、その長幅側の両端部の中央部間にステー（容器載置部材）１３が、両端部のフック１３ａ，１３ａを介して着脱自在に横架されている。このステー１３は、厚肉なプラスチック製で、別の長芋育成容器１０を段積みする際に使用される。長芋育成容器１０を単独使用する場合には、ステー１３を外してもよい。
【００１６】
開口部ａの長幅側の一端部には、外方に向かって徐々に下方傾斜した把手部１１ｃが一体形成されている。この把手１１ｃの長さ方向の両端部には、長芋等のツルを巻きつける１対のツル巻き棒１４，１４用の棒立て孔１１ｄ，１１ｄがそれぞれ形成されている。開口部ａには、その一端部が外方に向かって徐々に下方傾斜していることから、この容器本体１１内の長芋の育成空間（内部空間）と連通する補給口ｂが形成されている。補給口ｂは側面視して横長な矩形状で、水、土、肥料等を補給したり、育成空間を外部から観察するために利用される。
【００１７】
次に、この発明の一実施例に係る長芋育成容器１０を使用した長芋の育成方法を説明する。
容器本体１１内の育成空間に所定量の土を入れ、長芋の種芋を土の中に埋める。その際、大きな水抜き孔部１１ｂは、あらかじめ土漏れ防止カバー１２により被われているので、水抜き孔ｈを通って育成空間の土や種芋や成長した芋が外部に出るおそれはほとんどない。また、水抜き孔部１１ｂはその周壁が容器本体１１の内側に突出している。そのため、容器本体１１の底部には水抜き孔部１１ｂの周りに水溜め部ｃが画成される。よって、たっぷりと給水しておけば、長期間給水しなくても長芋が枯れることはない。これにより、一定期間内における給水回数を減らすことができる。また、このように水抜き孔部１１ｂが容器本体１１の内側に突出しているので、小さい種芋や成長した芋が水抜き孔部１１ｂから外部に突出しにくくなる。
【００１８】
また、容器本体１１には所要量の土が投入されるため、長芋育成容器１０としてはかなりの重量となり、転倒することがなくなり、容器として安定する。このとき、土の中に家庭の生ゴミなどを入れてもよい。この場合の生ゴミは土で覆う。すなわち、この長芋育成容器１０は、生ゴミを肥料とした生ゴミ処理装置としても活用することができる。水抜き孔部１１ｂの周壁の高さは５ｃｍ程度である。そのため、多量の給水に対しても根腐れが生じるおそれはほとんどない。すなわち、過剰な水は、図２の矢印に示すように土漏れ防止カバー１２の切欠部１２ａ…を経て、水抜き孔部１１ｂの上縁からオーバーフローし、外部に排出される。このとき、容器本体１１の底に図示しないトレイを配置しておけば、台所など、室内での長芋の育成に何ら支障は生じない。
【００１９】
長芋育成容器１０の設置場所を変更する際には、把手部１１ｃを持ち、この長芋育成容器１０を簡単に持ち運べる。
また、種芋が植え付けられ、長芋等が成長してツルが伸びた場合には、把手部１１ｃの棒立て孔１１ｄ，１１ｄにツル巻き棒１４，１４をそれぞれ差し立て、その後、これらのツル巻き棒１４，１４にツルを巻き付ければよい。すなわち、従来のように使用者が孔開け工具を使って箱体の一部に孔をあける必要がない。そのため、ツル巻き棒１４，１４の差し立て作業が容易になる。
【００２０】
さらに、長芋育成容器１０を段積みする場合には、ステー１３を載置用の台板とし、所定個数の長芋育成容器１０を積み上げることができる。これにより、狭いスペースでも長芋を大量栽培することができる。棒立て孔１１ｄ，１１ｄは、容器本体１１の側方に突出した把手部１１ｃに形成されているため、段積み時、上段の長芋育成容器１０に対して、支障なくツル巻き棒１４，１４を差し立てることができる。
さらにまた、把手部１１ｃには補給口ｂが形成されているため、仮に段積み時でも、補給口ｂを利用し、外部から水、土、肥料等を円滑に補給することができる。また、この補給口ｂは容器本体１１の内部状況を視認する覗き窓としても利用することができる。
【００２１】
この発明は、上述した実施例に限定されるものではなく、要旨を逸脱しない限り適宜設計を変更してもよい。
例えば、図３に示すように、水抜き孔部１１ｂには平面視して正方形の周壁の各上辺部に合計４つの切欠部１１ｅ…を形成し、各切欠部１１ｅ…を上方から被うように、水抜き孔ｈよりも大判でかつ平面視して正方形の土漏れ防止カバー１２を、水抜き孔部１１ｂ上に着脱自在に装着してもよい。過剰に供給された水は、水抜き孔部１１ｂの周壁の各切欠部１１ｅ…から外部に排出される。
また、図４および図５に示すように、水抜き孔部１１ｂと土漏れ防止カバー１２とを一体形成してもよい。具体的には、平面視して矩形状（図４）または平面視して略正方形（図５）の水抜き孔部１１ｂの上面の開口部が、水抜き孔部１１ｂと一体化された土漏れ防止カバー１２により、直接、閉蓋されている。ただし、水抜き孔部１１ｂの周壁の各上辺部付近には、所定個数の小孔１１ｆ…が形成されている。過剰な水は、水抜き孔部１１ｂの各小孔１１ｆ…を通過して外部に排出される。
このように、水抜き孔部１１ｂと土漏れ防止カバー１２とを一体形成すると、長芋育成容器１０の部品点数を減らすことができ、コスト低下が図れる。
【００２２】
【発明の効果】
この発明によれば、縦長な容器本体を主体とする長芋等の育成容器としたので、狭い設置スペースでも長芋等を栽培することができる。しかも、容器本体の底部に容器本体の内側に突出した水抜き孔部を形成したので、給水の頻度を低減させることができ、しかも小さい種芋や成長した芋が水抜き孔から外部に出にくくなる。
【００２３】
特に、請求項３の発明によれば、容器本体の開口部に容器載置部材を設けたので、複数の育成容器を段積みすることができ、これにより狭いスペースでも長芋等を大量栽培することができる。
【００２４】
請求項４の発明によれば、開口部に把手部を形成したので、育成容器の持ち運びが容易になる。また、長芋等のツルが伸びた際には、従来のように孔開け工具で箱体に孔をあけなくても、把手部の棒立て孔を利用し、ツル巻き棒を容易に差し立てられる。その結果、ツル巻き棒の差し立て作業が容易になる。さらには、育成容器を段積みする場合でも、棒立て孔が容器本体の側方に飛び出た把手に形成されているため、ツル巻き棒を支障なく容器本体に差し立てられる。
【００２５】
請求項５の発明によれば、把手部に補給口を形成したので、仮に段積み時でも、この補給口を通して、外部から水、土、肥料等を支障なく補給することができる。また、補給口は容器本体の内部状況を視認する覗き窓としても利用することができる。
【図面の簡単な説明】
【図１】この発明の一実施例に係る長芋等の育成容器の使用状態の斜視図である。
【図２】この発明の一実施例に係る長芋等の育成容器の段積み状態を示す一部断面図を含む側面図である。
【図３】この発明の別の実施形態に係る長芋等の育成容器の要部拡大斜視図である。
【図４】この発明のまた別の実施形態に係る長芋等の育成容器の要部拡大斜視図である。
【図５】この発明のさらに別の実施形態に係る長芋等の育成容器の要部拡大斜視図である。
【符号の説明】
１０　長芋育成容器（長芋等の育成容器）、
１１　容器本体、
１１ａ　底板、
１１ｂ　水抜き孔部、
１１ｃ　把手部、
１１ｄ　棒立て孔、
１２　土漏れ防止カバー、
１２ａ　切欠部、
１３　ステー（容器載置部材）、
ａ　開口部、
ｂ　補給口、
ｈ　水抜き孔。
【図１】
2004081146.tif 000003
【図２】
2004081146.tif 000004
【図３】
2004081146.tif 000005
【図４】
2004081146.tif 000006
【図５】
2004081146.tif 000007